(57)【要約】【課題】エアバッグの折り畳み作業のコストを低減する。エアバッグの展開特性を良好にする。【解決手段】エアバッグ12を平面状に広げる。このエアバッグ12を放射状に外周側から第１の押圧体で押圧し、第１集積部51を波状に形成する。これら第１集積部51同士の間に残った放射延設部を、放射状に外周側から第２の押圧体で押圧し、第１集積部51同士の間に押し込む。放射延設部を波状に折り畳んで第２集積部52を形成する。第２集積部52に押されて第１集積部51は外周側に膨出する。エアバッグ12にガスを導入すると、まず、第１集積部51が外周側に膨張展開し、次いで、第２集積部52が外周側に膨張展開し、エアバッグ12は外周側に迅速に膨張展開する。近接展開時にも、乗員に対する好適な展開特性を実現できる。【選択図】図１
2007261565.tif 000002
【特許請求の範囲】
【請求項１】
折り畳まれた状態からガスの導入により膨張展開するエアバッグの折畳方法であって、
袋状のエアバッグを平板状に広げ、この広げたエアバッグを複数カ所で外周側から所定点に向けて集積し、前記所定点を囲み波状に折曲された複数の第１集積部を形成するとともに、これら第１集積部の間に、それぞれ前記第１集積部に連続して波状に折り畳まれるとともに外周側に放射状に延びる複数の放射延設部を形成する第１集積工程と、
前記各放射延設部を前記所定点に向けて集積し、前記第１集積部の折り線の方向とは交差する方向を折り線の方向としてさらに波状に折曲された複数の第２集積部を形成するとともに、前記第１集積部を外周側に膨出させる第２集積工程と
を具備した
ことを特徴とするエアバッグの折畳方法。
【請求項２】
所定点に対向する第１の前面部、及びこの第１の前面部の両側から前記所定点を中心として外周側に放射状に延びる側面部を設けた複数の第１の押圧体と、
前記所定点に対向する第２の前面部を設けた複数の第２の押圧体とを用い、
第１集積工程において、前記第１の押圧体の第１の前面部により、エアバッグを外周側から前記所定点に向けて押圧して集積し、第１集積部を形成するとともに、前記第１の押圧体の側面部により、外周側に放射状に延びる放射延設部の幅寸法を規制し、
この第１集積工程の後、第２集積工程の前に、前記第１の前面部の位置を保持したまま、互いに隣接する前記第１の押圧体の側面部同士の間隔を拡大し、
前記第２集積工程において、前記第２の押圧体の第２の前面部により、前記拡大した側面部同士の間で、放射延設部を外周側から前記所定点に向けて押圧して集積し、第２集積部を形成する
ことを特徴とする請求項１記載のエアバッグの折畳方法。
【請求項３】
所定点に対向する第１の前面部を設けた複数の第１の押圧体と、
前記所定点に対向する第２の前面部を設けた複数の第２の押圧体とを用い、
第１集積工程において、前記第１の押圧体の第１の前面部により、平板状に広げたエアバッグを外周側から前記所定点に向けて押圧して集積し、第１集積部を形成し、
第２集積工程において、前記第２の押圧体の第２の前面部により、放射延設部を外周側から前記所定点に向けて押圧して集積し、第２集積部を形成すると同時に、前記第１の押圧体の第１の前面部を前記所定点から離間する方向に向けて移動させる
ことを特徴とする請求項１または２記載のエアバッグの折畳方法。
【請求項４】
第２集積工程に続き、外周側に膨出した第１集積部を外周側から押圧する押圧工程を具備した
ことを特徴とする請求項１記載のエアバッグの折畳方法。
【請求項５】
折り畳まれカバー体に収納された状態からガスの導入により膨張展開するエアバッグの折畳方法であって、
カバー体は、折り畳まれたエアバッグを収納するエアバッグ収納部、及びこのエアバッグ収納部に連通する挿入口を備え、
第１の集積工程及び第２の集積工程の後、これら第１の集積工程及び第２の集積工程で折り畳まれたエアバッグを前記挿入口に挿入可能な寸法に圧縮する第３集積工程と、
第３集積工程で圧縮されたエアバッグを前記挿入口を介して前記エアバッグ収納部に挿入する挿入工程と、
この挿入工程の後、折り畳んだエアバッグの反力により前記エアバッグ収納部で第１集積部及び第２集積部を緩める緩折工程とを備えた
ことを特徴とする請求項１ないし４いずれか一記載のエアバッグの折畳方法。
【請求項６】
所定点に向かって集積されガスの導入によりそれぞれ放射方向に沿って外周側に展開する複数の第１集積部及び複数の第２集積部を備えた状態に折り畳まれ、
前記第１集積部は、所定方向に沿った折り線で波状に折り畳まれ、
前記第２集積部は、所定方向に沿った折り線で波状に折り畳まれるとともに、この折り線に交差する方向の折り線でさらに波状に折り畳まれており、
前記第１集積部は、前記第２集積部により押圧され、放射方向に沿って外周側に膨出した
ことを特徴とするエアバッグ。
【請求項７】
第１集積部の外周側の先端部に、折り畳まれたエアバッグの外周部に沿った展開部が設けられた
ことを特徴とする請求項６記載のエアバッグ。
【請求項８】
折り畳まれたエアバッグを収納するエアバッグ収納部、及びこのエアバッグ収納部に連通し、このエアバッグ収納部の径寸法より小さい径寸法を有する挿入口を備えたカバー体と、
前記挿入口を介して前記エアバッグ収納部に挿入された請求項６または７記載のエアバッグと
を具備したことを特徴とするエアバッグ装置。
【発明の詳細な説明】
【技術分野】
【０００１】
本発明は、ガスが流入して膨張展開するエアバッグの折畳方法、エアバッグ及びエアバッグ装置に関する。
【背景技術】
【０００２】
従来、例えば、自動車のステアリングホイールに備えられるエアバッグ装置が知られている。このエアバッグ装置は、偏平な袋状をなすエアバッグと、このエアバッグを覆うカバー体と、ガスを供給するインフレータとなどを備えている。そして、このエアバッグは、通常時は、所定の方法で小さく折り畳まれてカバー体の内側に収納され、センサが衝突の衝撃を検出した状態で、インフレータからガスを供給してエアバッグを膨張させ、この膨張の圧力によりカバー体を破断してエアバッグを突出させ、エアバッグを乗員の前方に膨張展開させて、乗員に加わる衝撃を緩和する。
【０００３】
そして、今日において、展開特性を良好にするとともに、自動化が可能で製造コストを低減できるエアバッグの折畳方法が求められている。
【０００４】
例えば、運転席用の平面円形状のエアバッグについて、４個の剣状の工具でそれぞれ狭窄部を形成し、その後、スライダで圧縮して無秩序に折り畳む構成が知られている(例えば、特許文献１参照。)。この構成では、スライダで圧縮された部分同士は、互いにかみ合わずに折り畳まれ、展開時に互いに干渉しないとの効果が図られるものの、各スライダで圧縮された部分は、それぞれ単に外周側から圧縮して無秩序に折り畳まれただけであるため、中央部から供給されたガスが外周部に円滑に供給されにくく、外周側への迅速な展開が容易ではない。
【０００５】
また、多数の板状のスライダでエアバッグを内側へ押圧する構成が知られている(例えば、特許文献２参照。)。しかしながら、この構成では、特許文献１と同様に、中央部から供給されたガスが外周部に円滑に供給されにくいとともに、多数のスライダを駆動する構造が複雑になり、製造コストが上昇する問題を有している。
【０００６】
さらに、エアバッグをアコーディオン状に折り畳んだ後、折り畳んだエアバッグを折り曲げる構成が知られている(例えば、特許文献３参照。)。しかしながら、この構成では、アコーディオン状に折り畳む構成及び折り畳んだエアバッグを折り曲げる構成について、自動化に適した構成がなんら示されていないとともに、アコーディオン状、すなわち、エアバッグ全体を互いに平行な多数の線に沿っていわば１方向に折り畳む構成では、展開時のエアバッグの挙動に強い方向性が生じ、所望の展開特性を得にくい問題を有している。
【０００７】
この点、耳状の余部を放射状に設け、これら余部同士の間の部分を中央部に向かって集積するとともに、折り畳み過程のエアバッグを回転させ、集積した部分の周囲に余部を沿わせる構成が知られている(例えば、特許文献４参照。)。この構成では、余部に沿って外周部までガスが円滑に供給され、外周側への迅速な展開が可能となり、好ましい展開特性を実現できるものの、折り畳み過程のエアバッグを回転させる工程すなわち製造装置が必要になり、製造コストが上昇する問題を有している。
【特許文献１】特表２０００−５０１３５４（図９−図１１）
【特許文献２】特開平１０−１２９３８１号公報（図３、図４）
【特許文献３】特許第３５７９７０２号公報（図１、図２、図５）
【特許文献４】国際公開第９７／３５７４５号パンフレット（図４４）
【発明の開示】
【発明が解決しようとする課題】
【０００８】
上記従来のように、単に中心側に押圧して折り畳む構成では、所望の展開特性の実現が容易でない問題を有している。また、耳状の余部を放射状に設け、これら余部同士の間の部分を中央部に向かって集積するとともに、折り畳み過程のエアバッグを回転させ、集積した部分の周囲に余部を沿わせる構成では、余部に沿って外周部までガスが円滑に供給され、外周側への迅速な展開が可能となり、好ましい展開特性を実現できるものの、折り畳み過程のエアバッグを回転させる工程すなわち製造装置が必要になり、製造コストが上昇する問題を有している。
【０００９】
本発明は、このような点に鑑みなされたもので、展開特性が良好で、製造コストの低減が可能なエアバッグの折畳方法及びエアバッグを提供することを目的とする。
【課題を解決するための手段】
【００１０】
請求項１記載のエアバッグの折畳方法は、折り畳まれた状態からガスの導入により膨張展開するエアバッグの折畳方法であって、袋状のエアバッグを平板状に広げ、この広げたエアバッグを複数カ所で外周側から所定点に向けて集積し、前記所定点を囲み波状に折曲された複数の第１集積部を形成するとともに、これら第１集積部の間に、それぞれ前記第１集積部に連続して波状に折り畳まれるとともに外周側に放射状に延びる複数の放射延設部を形成する第１集積工程と、前記各放射延設部を前記所定点に向けて集積し、前記第１集積部の折り線の方向とは交差する方向を折り線の方向としてさらに波状に折曲された複数の第２集積部を形成するとともに、前記第１集積部を外周側に膨出させる第２集積工程とを具備したものである。
【００１１】
そして、この構成では、平板状に広げたエアバッグを外周側から押圧することで、エアバッグが折り畳まれる。第２集積工程においては、放射延設部を押圧することにより、第２集積部が形成されるとともに、これら第２集積部に押圧されて、これら第２集積部同士の間に位置する第１集積部を外周側に膨出させて、第１集積部が外周側に迅速に展開しやすい状態に形成される。折り畳み工程は簡略で、自動機による折り畳みも可能になり、製造コストが低減される。このように折り畳まれたエアバッグにガスを導入すると、外周側に膨出した第１集積部が外周側に迅速に放射状に展開し、さらに、第２集積部が外周側に放射状に展開する。エアバッグが外周側に全体的に迅速に膨張展開する好ましい展開特性が容易に実現される。
【００１２】
請求項２記載のエアバッグの折畳方法は、請求項１記載のエアバッグの折畳方法において、所定点に対向する第１の前面部、及びこの第１の前面部の両側から前記所定点を中心として外周側に放射状に延びる側面部を設けた複数の第１の押圧体と、前記所定点に対向する第２の前面部を設けた複数の第２の押圧体とを用い、第１集積工程において、前記第１の押圧体の第１の前面部により、エアバッグを外周側から前記所定点に向けて押圧して集積し、第１集積部を形成するとともに、前記第１の押圧体の側面部により、外周側に放射状に延びる放射延設部の幅寸法を規制し、この第１集積工程の後、第２集積工程の前に、前記第１の前面部の位置を保持したまま、互いに隣接する前記第１の押圧体の側面部同士の間隔を拡大し、前記第２集積工程において、前記第２の押圧体の第２の前面部により、前記拡大した側面部同士の間で、放射延設部を外周側から前記所定点に向けて押圧して集積し、第２集積部を形成するものである。
【００１３】
そして、この構成では、第１集積工程の後、第２集積工程の前に、第１の押圧体の側面部同士の間隔を拡大するため、波状に折曲する第２集積部の折り線同士の間隔を大きく設定でき、エアバッグの展開特性の向上が容易になるとともに、折り畳んだエアバッグが復帰変形する反力が一部に集中せず、エアバッグを小さく折り畳んだ状態を保持することを容易にして、エアバッグのエアバッグ装置への収納作業が容易になる。さらに、第１の押圧体の側面部同士の間隔を拡大する際、第１の前面部の位置を保持するため、第１集積部の折り畳み形状が乱れることなく形成される。
【００１４】
請求項３記載のエアバッグの折畳方法は、請求項１または２記載のエアバッグの折畳方法において、所定点に対向する第１の前面部を設けた複数の第１の押圧体と、前記所定点に対向する第２の前面部を設けた複数の第２の押圧体とを用い、第１集積工程において、前記第１の押圧体の第１の前面部により、平板状に広げたエアバッグを外周側から前記所定点に向けて押圧して集積し、第１集積部を形成し、第２集積工程において、前記第２の押圧体の第２の前面部により、放射延設部を外周側から前記所定点に向けて押圧して集積し、第２集積部を形成すると同時に、前記第１の押圧体の第１の前面部を前記所定点から離間する方向に向けて移動させるものである。
【００１５】
そして、この構成では、第２集積部を形成する際に、第１集積部の折り畳み形状が乱れることなく外周側に膨出しながら形成される。
【００１６】
請求項４記載のエアバッグの折畳方法は、請求項１記載のエアバッグの折畳方法において、第２集積工程に続き、外周側に膨出した第１集積部を外周側から押圧する押圧工程を具備したものである。
【００１７】
そして、この構成では、第１集積部の先端部に、外周側に沿った展開部を形成することが可能になり、また、エアバッグ装置のエアバッグを収納する部分に容易に収納可能な形状に折り畳んだエアバッグが提供される。
【００１８】
請求項５記載のエアバッグの折畳方法は、請求項１ないし４いずれか一記載のエアバッグの折畳方法において、折り畳まれカバー体に収納された状態からガスの導入により膨張展開するエアバッグの折畳方法であって、カバー体は、折り畳まれたエアバッグを収納するエアバッグ収納部、及びこのエアバッグ収納部に連通する挿入口を備え、第１の集積工程及び第２の集積工程の後、これら第１の集積工程及び第２の集積工程で折り畳まれたエアバッグを前記挿入口に挿入可能な寸法に圧縮する第３集積工程と、第３集積工程で圧縮されたエアバッグを前記挿入口を介して前記エアバッグ収納部に挿入する挿入工程と、この挿入工程の後、折り畳んだエアバッグの反力により前記エアバッグ収納部で第１集積部及び第２集積部を緩める緩折工程とを備えたものである。
【００１９】
そして、この構成では、カバー体に収納された状態で、エアバッグの第１集積部及び第２集積部が折り畳みの作業中よりも緩められた状態となるため、エアバッグの展開特性の向上が容易になる。
【００２０】
請求項６記載のエアバッグは、所定点に向かって集積されガスの導入によりそれぞれ放射方向に沿って外周側に展開する複数の第１集積部及び複数の第２集積部を備えた状態に折り畳まれ、前記第１集積部は、所定方向に沿った折り線で波状に折り畳まれ、前記第２集積部は、所定方向に沿った折り線で波状に折り畳まれるとともに、この折り線に交差する方向の折り線でさらに波状に折り畳まれており、前記第１集積部は、前記第２集積部により押圧され、放射方向に沿って外周側に膨出したものである。
【００２１】
そして、この構成では、折り畳まれたエアバッグにガスを導入すると、外周側に膨出した第１集積部が外周側に迅速に放射状に展開し、さらに、第２集積部が外周側に放射状に展開する。エアバッグが外周側に全体的に迅速に膨張展開する好ましい展開特性が容易に実現される。第１集積部は、第２集積部により押圧され、放射方向に沿って外周側に膨出し、第１集積部が外周側に迅速に展開しやすい状態に形成されており、折り畳み工程の簡略化が容易で、自動機による折り畳みも可能になり、製造コストが低減される。
【００２２】
請求項７記載のエアバッグは、請求項６記載のエアバッグにおいて、第１集積部の外周側の先端部に、折り畳まれたエアバッグの外周部に沿った展開部が設けられたものである。
【００２３】
そして、この構成では、エアバッグにガスを導入すると、第１集積部の外周側の先端部の展開部が迅速に展開し、エアバッグが全体的に放射状に迅速に膨張展開する好ましい展開特性が容易に実現される。
【００２４】
請求項８記載のエアバッグ装置は、折り畳まれたエアバッグを収納するエアバッグ収納部、及びこのエアバッグ収納部に連通し、このエアバッグ収納部の径寸法より小さい径寸法を有する挿入口を備えたカバー体と、前記挿入口を介して前記エアバッグ収納部に挿入された請求項６または７記載のエアバッグとを具備したものである。
【００２５】
そして、この構成では、請求項６または７記載のエアバッグを備えたため、好ましい展開特性が容易に実現される。さらに、エアバッグを小さい径寸法を有する挿入口を介してエアバッグ収納部に挿入したため、カバー体に収納された状態で、エアバッグが折り畳みの作業中よりも緩められた状態となるため、エアバッグの展開特性の向上が容易になる。
【発明の効果】
【００２６】
本発明によれば、折り畳み工程は簡略で、自動機による折り畳みも可能になり、製造コストを低減できるとともに、エアバッグが外周側に全体的に迅速に膨張展開する好ましい展開特性を容易に実現できる。
【発明を実施するための最良の形態】
【００２７】
以下、本発明のエアバッグの折畳方法及びエアバッグの一実施の形態を図面を参照して説明する。
【００２８】
図２において、１はエアバッグ装置で、このエアバッグ装置１は、自動車のステアリングホイールのステアリングホイール本体の中央のボス部に取り付けられ、乗員すなわち運転者とステアリングホイールとの間に展開して、被保護物である乗員を衝突の衝撃から保護するようになっている。なお、ステアリングホイールは、通常、傾斜した状態で用いられ、所定範囲で傾動可能に設けられているものであるが、以下、自動車の直進状態を基準として上下方向及び両側方向を説明するとともに、エアバッグ装置１の乗員側を正面側、エアバッグ装置１の底面側である車体側を背面側として説明する。また、図９ないし図１２に示すように、ステアリングホイール２は、円環状のリム部４と、このリム部４の内側に位置するボス部５と、これらリム部４とボス部５とを連結するスポーク部６とを備えている。例えば、３本あるいは４本のスポーク部６を備えた構成では、スポーク部６はボス部５の両側方に２本と、下側方に１本あるは２本とが配置され、ボス部５の前側とリム部４との間には、メータ類を視認するための空間が大きく確保されるようになっている。なお、図１２などにおいて、Ａは乗員を模したダミーである。
【００２９】
そして、エアバッグ装置１は、図２に示すように、ステアリングホイール本体に取り付けられる金属製のベースプレート11と、このベースプレート11上に折り畳んだ状態で配置される袋状のエアバッグ12と、このエアバッグ12を正面側から覆ってベースプレート11に取り付けられるカバー体14と、ベースプレート11に背面側から取り付けられてエアバッグ12にガスを供給するインフレータ16と、エアバッグ12及びインフレータ16をベースプレート11に固定するリテーナ17となどから構成されている。
【００３０】
そして、ベースプレート11は、基板部11aと、この基板部11aの周縁部から正面側あるいは背面側に延設された側板部11bとを備えている。なお、側板部11bは、種々の形態を採り得るものであるが、この実施の形態では、側板部11bは基板部11aから若干正面側に突出するように形成されている。そして、基板部11aには、インフレータ挿入孔11cと、このインフレータ挿入孔11cの周囲に位置する取付孔11dとが形成されている。また、側板部11bには、カバー体14を係止などして固定するカバー体固定部11eが設けられている。さらに、側板部11bの正面側の部分の複数カ所から、支持部11fが突設され、各支持部11fには、ホーンスイッチ19が取り付けられている。
【００３１】
また、カバー体14は、ステアリングホイール２のボス部５及びスポーク部６の一部を覆う被覆部14aと、この被覆部14aの裏面から背面側に突設された取付壁部14bとが、例えば、合成樹脂の射出成形などにより一体に形成されている。そして、このカバー体14の被覆部14aには、他の部分より脆弱に形成したテアラインが形成されている。さらに、このテアラインは、被覆部14aから連続的に取付壁部14bにまで延設することが可能であり、すなわち、テアラインを取付壁部14bの正面背面方向の中間位置まで延設したハーフボトムテア、あるいは、テアラインを取付壁部14bの背面側の端部あるいは背面側の端部近傍まで延設したボトムテアと呼ばれる構成も可能である。そして、本実施の形態では、上記のハーフボトムテアの構成が採られている。
【００３２】
そして、インフレータ16は、略円柱状をなす本体部16aと、この本体部16aの外周部に突設されたフランジ部16bとを備えている。そして、本体部16aの内側には、反応時に膨張用流体であるガスを発生する推進薬と、この推進薬に点火する点火器(スクイブ)とを備えている。また、フランジ部16bの正面側に位置し、本体部16aの周面には、ガスを噴射するガス噴射口が所定の間隔で形成されている。なお、この実施の形態では、インフレータ16は、いわゆるデュアルタイプで、例えば、１３０kPaと１８０kPaとの２段階にガスの圧力を変化できるようになっている。また、フランジ部16bの四隅の近傍には、円孔状の取付孔16cが設けられている。
【００３３】
また、エアバッグ12は、図１及び図２に示すように、第１の面部を構成する下側基布である第１の基布21と、この第１の基布21に重ねられ第２の面部を構成する上側基布である第２の基布22とを備えている。また、これらの基布21，22は、所定の強度、柔軟性、気密性及び耐熱性などを有するもので、例えば、３５０デシテックス(３１５デニール)のナイロン製の布に、必要に応じてシリコーンのコーティングを施して形成されている。そして、第１の基布21と第２の基布22とは、互いに同形状の円形状をなし、周縁部同士が外縁部23に近接した接合線部24に沿って縫い合わされて反転され、広げた状態で円板状、膨張展開した状態で例えば６０リットルの扁平な球状となる運転席用のエアバッグ12の外殻を構成している。そして、第１の基布21の中央部が底面部25となり、この底面部25に円孔状の受入口26が形成されているとともに、この受入口26を囲み、複数カ所、本実施の形態では４カ所に円孔状の取付孔27が形成されている。さらに、この第１の基布21には、例えば上側の外縁部23近傍の両側の２カ所に、円孔状の排気口(ベントホール)28が形成されている。また、第２の基布22は、受入口26に対向する面が、正面部29となっている。なお、図示しないが、エアバッグ12には、これら基布21，22の他にも、必要に応じて防炎布などと呼ばれる補強用の基布が重ねて縫い合わされているとともに、必要に応じて、エアバッグ12の内側で基布21，22同士を連結して膨張展開時の形状を規制する吊りひもが設けられている。
【００３４】
さらに、リテーナ17は、金属製で環状をなすリテーナ本体17aと、このリテーナ本体17aから突設された４本の取付ボルト17bとを備えている。そして、各取付ボルト17bには、ナット17cが螺合するようになっている。
【００３５】
そこで、このエアバッグ装置１は、リテーナ17をエアバッグ12の内側に挿入し、取付ボルト17bをエアバッグ12の取付孔27に挿入した状態で、後述のようにエアバッグ12を折り畳み、さらに、取付ボルト17bをベースプレート11の取付孔11dに挿入することにより、受入口26がインフレータ挿入孔11cに位置合わせしてエアバッグ12が配置される。そして、インフレータ16は、受入口26及びインフレータ挿入孔11cを介して本体部16aをエアバッグ12の内側に挿入するとともに、取付孔16cに取付ボルト17bを挿入し、取付ボルト17bにナット17cを螺合して締め付けることにより、ベースプレート11にエアバッグ12とインフレータ16とが固定される。そして、折り畳まれたエアバッグ12を覆うようにして、正面側からカバー体14の取付壁部14bをベースプレート11の側板部11bに嵌合し、取付壁部14bをカバー体固定部11eに係合し、あるいはリベットなどを用いて固定することにより、エアバッグ装置１が組み立てられる。
【００３６】
そして、このエアバッグ装置１は、自動車が衝突した際などには、図示しない制御装置からの信号によりインフレータ16の点火器を起動し、充填した推進薬を反応させることにより、インフレータ16のガス噴射口からエアバッグ12の内部にガスを急速に供給する。すると、エアバッグ12は急速に膨張展開し、この膨張の圧力によりカバー体14のテアラインを破断し、エアバッグ12の突出口が形成される。この状態で、カバー体14の外側に突出したエアバッグ12は、乗員の前方に膨張展開して、前方に投げ出されてくる乗員を拘束し、乗員を衝突の衝撃から保護するようになっている。
【００３７】
次に、エアバッグ12の折り畳み方法を図１及び図３ないし図７を参照して説明する。なお、ここでは、エアバッグ12を水平な板状の載置部41に載置した状態で、上下方向などの方向を説明する。
【００３８】
まず、この折り畳みに用いる折り畳み装置は、水平な板状の載置部41と、この載置部41の上方に位置し、載置部41に対して進退すなわち上下動する高さ規制部とを備えている。そして、載置部41の中心部には、エアバッグ12に取り付けられたリテーナ17を保持する保持部が設けられている。そして、この載置部41の中心部が、円形状に広げたエアバッグ12の中心すなわち受入口26の中心である所定点Ｏと重なるようになっている。
【００３９】
また、折り畳み装置は、載置部41の上面に沿って保持部すなわち中心側の所定点Ｏに向かって進退する駒である複数の第１の押圧体44及び複数の第２の押圧体45を備えている。これら押圧体44，45は、４個ずつ交互に配置され、第１の押圧体44は、所定点Ｏを通る両側方向の線Ｘ及びこの線Ｘに交差さらには直交し所定点Ｏを通る前後方向の線Ｙに沿って移動可能に配置されている。また、第２の押圧体45は、これら第１の押圧体44の間すなわち所定点Ｏを通り線Ｘ及び線Ｙと４５度の角度をなす線に沿って移動可能に設けられている。そして、第１の押圧体44は、例えば平面略台形状のブロック状をなし、中心側の所定点Ｏに向かう押圧面には、平面三角状の凹設部44aが設けられている。一方、第２の押圧体45は、第１の押圧体44の押圧面よりも小さい平面状の押圧面を有し、例えば平面四角状に形成されている。
【００４０】
また、折り畳み装置は、自動機であり、プログラムに従い全体を制御する制御手段と、この制御手段に制御され各部を駆動するシリンダなどを備えている。
【００４１】
そして、折り畳み工程は、まず、第１集積工程として、高さ規制部を上方に退避させるとともに、各押圧体44，45を外周側に退避させた状態で、図３(a)に示すように、エアバッグ12に取り付けられたリテーナ17を保持部に保持させ、エアバッグ12を載置部41上に平面状に広げる。
【００４２】
ここで、図３(b)に示すように、エアバッグ12の外縁部23の全周が、若干、例えば載置部41から１５mm以上離間するように、上方に偏倚した状態とする。なお、このようにエアバッグ12の外縁部23を偏倚させる方法は、種々の方法を採ることができ、例えば、載置部41から外縁部23の近傍を持ち上げて偏倚させる偏倚手段を突設させることもでき、あるいは、エアバッグ12の第１の基布21と第２の基布22との寸法を異ならせ、外縁部23が若干持ち上がる形状に縫製することもできる。
【００４３】
次いで、高さ規制部を保持部に対して所定の寸法だけ離間した位置まで前進すなわち下降させる。
【００４４】
次いで、各第１の押圧体44を所定の速度で矢印Ｆ方向に中心側の所定点Ｏに向かって所定の位置まで前進させる。すると、図４に示すように、第１の押圧体44の押圧面の凹設部44aで押圧された部分が、受入口26の周囲ですなわち所定点Ｏを囲み、水平面に略沿った同芯状の折り線で基布が略垂直になるように蛇腹状すなわち波状に折り畳まれ、第１集積部51が形成される。同時に、各第１の押圧体44で押圧されない部分についても、第１集積部51の折り線に連続する折り線で波状に折られるとともに、第１集積部51から外周側に放射状に延びる耳状の放射延設部52aとして残る。そして、この工程において、エアバッグ12の外縁部23は若干持ち上げられているため、第１の押圧体44が当接した際に、外縁部23はさらに持ち上げられ、外縁部23が向かう方向が揃えられる。また、この状態で、第１集積部51及び放射延設部52aの折り線はいずれも水平面に略沿った状態であり、第１集積部51及び放射延設部52aの基布は、垂直状に立った状態となる。
【００４５】
また、この工程では、第１の押圧体44を所定の速度で移動させることにより、平面状に広げたエアバッグ12内に残る僅かな空気により、エアバッグ12が若干膨らむ状態とし、第１の基布21と第２の基布22とが互いに噛み合わないようにそれぞれ蛇腹状に折り畳むことができる。
【００４６】
次いで、第２集積工程として、図４ないし図７に示すように、第２の押圧体45を中心側に前進させ、放射延設部52aを第１集積部51同士の間に押し込むように押圧する。すると、放射延設部52aは既に水平面に略沿った折り線で折られており、基布は垂直状に立った状態となっているため、今度は垂直状の折り線が発生しこの垂直状の折り線により蛇腹状すなわち波状に折り畳まれた第２集積部52が形成される。さらに、これら放射延設部52aを中心側の所定点Ｏに向かって押し込むことにより、間接的に第１集積部51も押圧され、第１集積部51は、中心側の所定点Ｏから外周側に膨出するように押し出され、第２集積部52同士の間に配置される。
【００４７】
すなわち、この状態で、第１集積部51は、外周側の先端部を除き、１方向に沿った折り線でのみ波状に折り畳まれているのに対し、第２集積部52は、互いに交差し直交する２方向に沿った折り線で波状に折り畳まれる。
【００４８】
また、これら第１集積部51及び第２集積部52の折り畳み工程で、エアバッグ12の折り畳み高さは、高さ規制部により規制される。
【００４９】
さらに、必要に応じて、各第１の押圧体44を前進させ、エアバッグ12の折り畳み形状を整える押圧工程を行い、さらに、折り畳んだエアバッグ12をラッピング部材で覆い、あるいは、エアバッグ12にカバー体14を被せることにより、エアバッグ12の折り畳み工程が終了する。
【００５０】
ここで、折り畳まれたエアバッグ12は、中心側の所定点Ｏすなわち受入口26を設けた底面部25の周囲に、前後両側に位置していわば１重に波状に折り畳まれた４個の第１集積部51が配置され、さらに、これら第１集積部51同士の間に位置していわば２重に波状に折り畳まれた４個の第２集積部52が配置されている。そして、各第１集積部51においては、第１の基布21と第２の基布22とが互いに噛み合わないように形成され、第２集積部52では、波状に折り畳まれた部分に沿って、第１の基布21と第２の基布22とが互いに噛み合わない仮想線が中央の受入口26からエアバッグ12の外縁部23まで形成されている。さらに、第２の基布22の正面部29は、高さ規制部で押さえられ、実質的に単一の層をなし、すなわちほぼ１枚の基布で構成されるようになっている。
【００５１】
さらに、図８に示すように、第１集積部51及び第２集積部52は、エアバッグ12の外縁部23が向きを揃えて両方とも同じ方向、ここでは正面側である上方を向くいわば略Ｗ字状に折り畳まれ、本実施の形態では、エアバッグ12の外縁部23は全周にわたり正面側である上側を向くように折り畳まれる。また、前側に位置する２カ所の第２集積部52の幅方向の中心部に、かつ、折り畳んだ状態で外部に露出するいわば外波部に、排気口28が位置するように折り畳まれる。
【００５２】
そこで、このエアバッグ12の受入口26にガスを導入すると、エアバッグ12が膨張展開する圧力によりハーフボトムテアのテアラインが破断し、図９及び図１０に破線Ｈで示すようにカバー体14が展開する。この際、図９に示すように、２重に波状に折り畳まれた第２集積部52が中心側の所定点Ｏから順次膨張展開するのに対して、図１０に示すように、第１集積部51は外周側に膨出する状態で、他の折り畳んだ部分と重ならず、かつ、１重に波状に折り畳まれているため、ほとんど抵抗を受けることなく放射方向に沿って外周側に迅速に展開し、図１１に示すように、展開初期において正面視で左右均等に略十字状をなして、外周側に向かって扁平に展開する。さらに、各第２集積部52についても、少なくとも、各仮想線に沿ってガスが外縁部23まで円滑に供給され、第１集積部51に続いて迅速に展開する。そこで、乗員がシートベルトを装着して通常の位置に着席している場合には、ガスの導入に伴いエアバッグ12はいわゆるフル展開の状態となり、前側に投げ出されてくる乗員を効果的に拘束し、乗員を保護できる。
【００５３】
また、このようにエアバッグ12が迅速に外周方向に扁平に展開し、展開初期の正面側への展開は抑制されるため、図１２に示すように、乗員がエアバッグ装置１に近接した状態(アウトオブポジション、ＯＯＰ)でエアバッグ12が展開する際にも、乗員の胸部などに対する押圧力を有効に抑制した好ましい展開特性を容易に実現できる。すなわち、エアバッグ装置１の動作後１０ミリ秒後には排気口28からの排気を可能とし、顎への直撃を避け、リム部４とボス部５との間の空間にエアバッグ12を入り込むように展開させ、顎にエアバッグ12を残し、エアバッグ12を乗員の下方に迅速に展開させ、展開時の最初期の胸部下側への衝撃を抑制し、さらにエアバッグ12を左右均等に展開させるといった、近接展開に適した特性の実現が容易になる。特に、本実施の形態では、エアバッグ12が迅速に外周方向に扁平に展開するため、エアバッグ12を乗員の下方に迅速に展開させ、展開時の最初期の胸部下側への衝撃を抑制し、さらにエアバッグ12を左右均等に展開させる点について、効果的に実現できる。
【００５４】
そして、本実施の形態のエアバッグ12を用いた近接展開の実験の結果、エアバッグ装置１の起動後４８ミリ秒の状態を示す図１３に示すように、吊りひもを用いた簡略な構成であっても、エアバッグ12を迅速に外周方向に扁平に展開でき、好ましい展開特性を実現できることが確かめられた。
【００５５】
このように、本実施の形態によれば、外周側に膨出する状態で配置された第１集積部51を設けたため、インフレータ16のガスの推力を有効に利用し、エアバッグ12の展開初期にこの第１集積部51からエアバッグ12が迅速に外周方向に扁平に展開して容積を確保し、通常の展開時のみならず、例えば正面衝突時にステアリングホイール２に近い位置に比較的小柄な女性が着座している近接展開の状態でも、乗員に与える影響を抑制した好ましい展開特性を実現できる。
【００５６】
また、エアバッグ12は、単純に進退する部材の組み合わせで折畳装置を構成でき、折り畳みの工程でエアバッグ12を回転させる必要もないため、機械を用いた自動折りが容易であるとともに、折畳装置の構成を簡略化でき、製造コストを低減できる。
【００５７】
特に、第２集積部52を形成するために第２の押圧体45を前進させることにより、第１集積部51が間接的に押圧されて外周側に押し出されるようにして膨出した形状とすることができるため、第１集積部51を外周側に膨出して配置させるための専用の部材や工程を用いる必要がなく、製造工程を簡略化して製造コストを低減できる。
【００５８】
また、エアバッグ12は、巻き付けるようにして折り畳まれた部分がなく、エアバッグ12の展開時には、波状に折り畳まれた部分が迅速に展開し、エアバッグ12の展開初期においても、ガスを外周部まで円滑かつ迅速に供給し、外周側に向かって迅速に扁平に展開させることができ、エアバッグ12の内圧が必要以上に高くなることを防止できる。また、エアバッグ12は、巻き付けるようにして折り畳まれた部分がなく、エアバッグ12の展開時にねじれるような力が発生せず、容易に挙動を安定させることができる。さらに、各集積部51，52の突出方向などの挙動の制御が容易になるため、例えば、スポーク部６を避けて、各集積部51，52をステアリングホイール２のリム部４とボス部５との間の空間に潜り込むように展開させることも容易になる。
【００５９】
また、単純に進退する部材の組み合わせで折畳装置を構成できるため、エアバッグ12の径寸法の許容範囲が比較的大きく、異なる径寸法のエアバッグ12を同一あるいは若干の設定を代えた折畳装置で折り畳むことも可能であり、折り畳み装置の汎用性を向上してエアバッグ12の製造コストを低減できる。
【００６０】
また、エアバッグ12の排気口28は、第２集積部52の部分に位置して配置されているため、第２集積部52が展開した後は開口した状態が確保され、他の部分が展開していなくとも排気が可能になり、近接展開などの状態でもエアバッグ12の内圧の上昇を抑制できる。
【００６１】
また、第２の基布22の正面部29は、折畳工程において、高さ規制部で押さえられ、折り畳まれた状態で、実質的に単一の層をなし、すなわちほぼ１枚の基布で構成されるようになっている。そこで、エアバッグ12の展開の最初期においては、所定の寸法だけ迅速に正面側に展開し、カバー体14を迅速に破断できるとともに、その後の展開過程においては、正面側への突出が抑制され、折り畳んだ部分が外側部へ向かって展開する好ましい展開特性を容易に実現できる。
【００６２】
また、上記のように、エアバッグ12の折り畳みにより、好ましい展開特性を実現できるため、インフレータ16に特殊な仕様が要求されず、例えば、インフレータの複数使用や、点火器を複数備えたマルチスクイブ型による多段制御を用いずに、簡略な構造のインフレータ16を用い、製造コストを低減することも可能になる。
【００６３】
また、第１集積部51及び第２集積部52は、それぞれ４個としたため、扁平な円形状に展開するエアバッグ12について、エアバッグ12の展開時に方向性がなく全周方向にバランス良く展開させ、挙動を容易に安定させ、好ましい展開特性を容易に実現できるとともに、第１集積部51及び第２集積部52をそれぞれ５個以上とする構成に比べ、折畳装置の構成を簡略化して製造装置に要するコストを低減できる。このようにして、第１集積部51及び第２集積部52は、それぞれ４個とすることにより、好ましい展開特性の実現と、製造コストの低減とを両立できる。
【００６４】
さらに、カバー体14は、テアラインを取付壁部14bの正面背面方向の中間位置まで延設したハーフボトムテアとし、エアバッグ12は、外縁部23を揃えて上方に向く構成としたため、エアバッグ12を展開時に外周側に向かって適切な特性で展開させることができる。すなわち、外縁部23を上方あるいは下方に揃えて折り畳むことにより、ダミーＡがステアリングホイール２に対する関係として図１２に示す位置にある場合には、リム部４の内部にエアバッグ12の相当部分が入りやすくなるし、図１２よりもダミーＡが低い位置、すなわち頭部がカバー体14に正対するような位置にある場合には、リム部４のなす面に平行に、ダミーＡの頭部を中心として放射方向に展開し、ダミーＡの頭部と胸部との角度をほぼ一定のままでダミーＡ全体が後方へといくらか移動されるようにして、きわめて安定した展開挙動を容易に得ることができる。すなわち、外縁部23を上方あるいは下方に揃えて折り畳むことにより、エアバッグ12の展開挙動を容易に安定させることができる。また、外縁部23を上方に向けることにより、膨張展開時にエアバッグ12の外縁部23が乗員から離間する方向に移動する傾向となり、膨張展開時にエアバッグ12が乗員に与える影響を抑制できる。さらに、外縁部23を上方に向けて揃えるとともに、ボトムテアのカバー体14と組み合わせると、エアバッグ12が外周側に向かって膨張展開する速度が速すぎる場合があり得るが、ハーフボトムテアと組み合わせることにより、折り畳んだエアバッグ12の背面側の部分の外周部をカバー体14で押さえ、エアバッグ12を適切な速度で展開させることができる。また、エアバッグ12を接合線部24で縫製した後に反転させるいわゆる反転エアバッグについては、反転させないいわゆる非反転エアバッグに比べて、正面側に展開しやすい傾向があるが、外縁部23を上方に向けて揃えた本実施の形態と組み合わせることにより、外周側への扁平な展開を実現し、正面側への展開を容易に抑制するこができる。
【００６５】
なお、上記の実施の形態において、図１４に示すように、第１集積部51の外周側の先端部に、折り畳んだ状態のエアバッグ12の外周部に沿って屈曲された圧縮屈曲部である展開部61を形成し、エアバッグ12にガスを導入した状態で、第１集積部51の先端部の展開部61を迅速に膨張展開させて、エアバッグ12の外周側への迅速な展開を図ることもできる。なお、この展開部61は、エアバッグ12の折り畳み工程の最後の押圧工程において、膨出した波状部である第１集積部51をさらに所定点Ｏに向けて押圧することにより、容易に形成することができる。また、この展開部61は、１の第１集積部51の先端部に設ける他、複数の第１集積部51の先端部に設け、あるいは、全ての第１集積部51の先端部に設けることもできる。また、この展開部61は、第１集積部51の先端部から両側に延びる略Ｔ字状とする他、第１集積部51の先端部から一側に延びる略Ｌ字状とすることもできる。
【００６６】
また、上記の実施の形態では、４カ所の第１集積部51を上下左右に配置し、いわば十字状に配置したが、この構成に限られるものではない。例えば、図１５に示すように、各第２集積部52を上下左右に配置し、各第１集積部51は傾斜した方向にいわばＸ字状に展開させることができる。なお、この図１５及び以下の図１６及び図１７において、２点鎖線はエアバッグ12を平面状に広げた状態を示している。
【００６７】
また、この図１５に示すように、上側に位置する２カ所の第１集積部51に排気口28を配置することにより、展開の最初期に排気口28を開放して排気を可能とし、近接展開などの状態でもエアバッグ12の内圧の上昇を抑制できる。
【００６８】
さらに、この図１５に示すように、各排気口28は、従来の位置よりもエアバッグ12の外縁部23の近傍にずらして配置することにより、排気口28の開放状態を容易に確保しつつ迅速な排気を可能として、近接展開などの状態でもエアバッグ12の内圧の上昇を抑制できる。なお、この排気口28をエアバッグ12の外縁部23の近傍にずらして配置する構成は、図７に示すように第１集積部51を十字状に配置する構成にも適用できる。
【００６９】
また、各第１集積部51及び各第２集積部52は、それぞれ互いに対称形状に形成する他、互いに形状をことならせて形成し、特定の方向への膨張展開を迅速にすることもできる。例えば、図７に示すように、各第２集積部52を全て４段に重ねる構成、あるいは、図示しないが、各第２集積部52を全て３段に重ねる構成の他、図１６に示すように、下側の２カ所の第２集積部52は４段に重ねる状態とするのに対し、上側の２カ所の第２集積部52は３段に重ねて相対的に短くし、上方に向かう１カ所の第１集積部51の基布の長さ寸法を他の第１集積部51の基布の長さ寸法よりも大きく確保し、上方への膨張展開の迅速化を図ることもできる。
【００７０】
さらに、このように基布の長さ寸法を大きく設定した上側に位置する第１集積部51については、図１４に示すように、押圧工程で略Ｔ字状あるいは略Ｌ字状の展開部61を形成し、全体の形状を整えるとともに、所定方向例えば上方のリム部４側さらには背面方向への膨張展開の迅速化を図り、近接展開時の乗員の胸部への圧力を容易に軽減することができる。そこで、この構成では、エアバッグ装置１の動作後１０ミリ秒後には排気口28からの排気を可能とし、リム部４とボス部５との間の空間にエアバッグ12を入り込むように展開させ、エアバッグ12を乗員の下方に迅速に展開させ、展開時の最初期の胸部下側への衝撃を抑制し、さらにエアバッグ12を左右均等に展開させる点について、効果的に実現できる。
【００７１】
さらに、上記図１４に示す略Ｔ字状の展開部61を他の押圧手段を用いて略Ｙ字状などに再押圧してもよい。
【００７２】
また、上記の実施の形態では、第１集積部51及び第２集積部52は、それぞれ４個としたが、それぞれ３個とし、あるいはそれぞれ５個以上することもできる。例えば、図１７に製造工程を示すように、８カ所の第１集積部51を形成するとともに、８カ所の放射延設部52aを形成し、これら放射延設部52aを中心側の所定点Ｏに向かって押し込むことにより、それぞれ第２集積部52を形成するとともに、各第１集積部51を外周側に膨出させることができる。
【００７３】
また、上記の実施の形態では、カバー体14は、テアラインを取付壁部14bの正面背面方向の中間位置まで延設したハーフボトムテアとし、エアバッグ12は、図８に示すように外縁部23が上方に向く略Ｗ字状に折り畳んだが、この構成に限られず、カバー体14のテアラインの構成と、エアバッグ12の外縁部23が上方あるいは図１８に示すように下方を向く構成とを適宜組み合わせ、エアバッグ12の展開特性を調整することもできる。すなわち、エアバッグ12の外縁部23は、エアバッグ12の膨出方向に沿った正面背面方向に沿って同一方向に配向すれば、エアバッグ12の展開時の挙動を容易に安定させることができ、例えば、図１８に示すように、第２集積部52において外縁部23が下方を向いた状態とし、いわば略Ｍ字状に折り畳むことができる。
【００７４】
そして、このよう略Ｍ字状にエアバッグ12を折り畳むためには、図１９に示すように、エアバッグ12を載置部41上に広げた状態で、エアバッグ12の中央部分を相対的に持ち上げるなどして、エアバッグ12の外縁部23を全周にわたり下方に向けて１５mm以上偏倚させて、この状態で各押圧体44，45を移動させて、集積部51，52を形成することにより、容易に実現できる。
【００７５】
また、このように略Ｍ字状にエアバッグ12を折り畳む構成については、テアラインを被覆部14aのみに形成したいわゆるノーマルタイプのカバー体14と組み合わせて、容易に好ましい展開特性を得ることができる。
【００７６】
また、カバー体14の平面形状などによっては、略Ｍ字状にエアバッグ12を折り畳む構成、あるいは、略Ｗ字状にエアバッグ12を折り畳む構成と、テアラインを取付壁部14bの背面側の端部にまで形成したボトムテアのカバー体14と組み合わせ、好ましい展開特性を実現することもできる。
【００７７】
また、上記の実施の形態では、エアバッグ12の内側には吊りひもを備えたが、この吊りひもに代えて、あるいはこの吊りひもとともに、エアバッグ12の内側に、中間基布である第３の基布を配置してガスを案内し、エアバッグ12の好ましい展開特性を実現することもできる。例えば、この第３の基布は、受入口26及びこの受入口26の近傍の正面側を覆うようにして配置され、第１の基布21に縫い合わせて接続され、部分的三層構造、あるいはいわゆる２．５層のエアバッグ12を構成する。この構成では、受入口26の近傍から供給されたガスが、第３の基布で案内されて外周部に向かい、外周側で折り返して正面側に向かい、エアバッグ12を外周側に迅速に展開させる。そして、この構成においても、図２０に示すように、展開初期に正面側への展開を抑制して扁平に展開する好ましい展開特性を容易に実現できる。なお、この図２０は、エアバッグ装置１の起動後４８ミリ秒の状態を示している。
【００７８】
また、エアバッグ12の折り畳み装置については、第２集積部52を形成するための放射延設部52aを形成する放射状の線に沿って、放射延設部52aの形状を整える線部形成部を設けることもできる。この線部形成部には、上下に対をなして対向するとともに上下動可能な規制板を備え、第１の押圧体44を前進させて第１集積部51を形成する際に、上下に対向する各規制板を互いに接近させエアバッグ12の基布を挟み込み、放射延設部52aの形状を規制し、第２集積部52に、上下の基布21，22が噛み合わずに受入口26の部分から外周側までガスを円滑に供給する仮想線を形成することができる。
【００７９】
また、各集積部51，52については、第１の基布21と第２の基布22とが互いに噛み合わないように折り畳むことにより、ガスを外周側まで円滑に供給し、外周側へ迅速に展開させることができる。
【００８０】
また、上記の各実施の形態において、エアバッグ12は、接合線部24で縫製した後に反転させない、いわゆる非反転エアバッグを用いることもできる。
【００８１】
次に、エアバッグの折畳方法の他の実施の形態を図２１ないし図３０を参照して説明する。
【００８２】
なお、この折畳方法により折り畳まれるエアバッグ12の折り畳み形状は、図１などに示す構成と同様である。
【００８３】
そして、この実施の形態に用いる折り畳み装置では、上記の実施の形態と同様に、載置部41の上面に沿って保持部すなわち中心側の所定点Ｏに向かって接近及び離間すなわち進退する駒である第１の押圧体71及び第２の押圧体72をそれぞれ複数備え、これら第１の押圧体71及び第２の押圧体72が６個ずつ交互に配置されている。そして、各第１の押圧体71は、所定点Ｏを通る線に沿って移動可能に配置されているとともに、所定点Ｏに対向する前面部71aの前側には、それぞれ第１の前面部を構成する円弧状の押圧板74が備えられ、この押圧板74は、駆動手段であるシリンダ75により所定点Ｏに向かって進退可能に配置されている。さらに、各第１の押圧体71の両側部には、それぞれ、折りくせ付与手段77が備えられている。各折りくせ付与手段77は、押し込み駒78と、この押し込み駒78を駆動する駆動手段であるシリンダ79が備えられ、押し込み駒78が第１の押圧体71の側面部71bから出没可能に配置されている。また、これら折りくせ付与手段77は、互いに隣接する第１の押圧体71について、所定点Ｏを通る線に沿った方向について、互いに異なる位置に配置されている。
【００８４】
一方、第２の押圧体72は、前側部に、第２の前面部としての平面状の押圧面部82を備え、例えば平面四角状のブロック状に形成されている。
【００８５】
次に、この実施の形態の第１の動作を図２１ないし図２５を参照して説明する。
【００８６】
まず、第１集積工程として、図４などに示す実施の形態と同様に、高さ規制部を上方に退避させるとともに、各押圧体71，72を外周側に退避させた状態で、エアバッグ12に取り付けられたリテーナ17を保持部に保持させ、エアバッグ12を載置部41上に平面状に広げる。次いで、高さ規制部を保持部に対して所定の寸法だけ離間した位置まで前進すなわち下降させる。そして、この際、図２１に示すように、各第１の押圧体71の押圧板74は後退すなわち所定点Ｏから離間した方向に移動しており、各第１の押圧体71の押し込み駒78は第１の押圧体71の側面部71bから突出していない状態とする。
【００８７】
次いで、各第１の押圧体71を所定の速度で中心側の所定点Ｏに向かって所定の位置まで前進させる。すると、図２２に示すように、第１の押圧体71の押圧板74で押圧されたエアバッグ12の部分が、受入口26の周囲ですなわち所定点Ｏを囲み、水平面に略沿った同芯状の折り線で基布が略垂直になるように蛇腹状すなわち波状に折り畳まれ、第１集積部51が形成される。同時に、各第１の押圧体71で押圧されない部分についても、第１の押圧体71の側面部71bで幅寸法が規制されつつ、第１集積部51の折り線に連続する折り線で波状に折られるとともに、第１集積部51から外周側に放射状に延びる耳状の放射延設部52aとして残る。また、この状態で、第１集積部51及び放射延設部52aの折り線はいずれも水平面に略沿った状態であり、第１集積部51及び放射延設部52aの基布は、垂直状に立った状態となる。なお、エアバッグ12の外縁部23を若干持ち上げるなどして外縁部23が向かう方向を揃える構成や、平面状に広げたエアバッグ12内に残る僅かな空気により、エアバッグ12が若干膨らむ状態とし、第１の基布21と第２の基布22とが互いに噛み合わないようにそれぞれ蛇腹状に折り畳む構成は、図４などに示す実施の形態と同様である。
【００８８】
次いで、図２３に示すように、第１集積工程の後、続く第２集積工程の前に、拡大工程として、各第１の押圧体71を外周側へ所定寸法だけ若干後退させると同時に、この第１の押圧体71の後退速度と同じ速度で反対方向の所定点Ｏに向かって押圧板74を前進させる。この結果、押圧板74は、同じ位置にとどまり、第１集積部51の形状を保持するとともに、互いに隣接する第１の押圧体71の側面部71b同士の間隔は、図２２に示す寸法Ｗ1から図２３に示す寸法Ｗ2に拡大する。
【００８９】
さらに、このように第１の押圧体71が若干後退した状態で、折りくせ付与工程として、各折りくせ付与手段77の押し込み駒78を前進させ、第１の押圧体71の側面部71bから突出させる。すると、これら押し込み駒78により、各放射延設部52aの複数カ所にくの字状の折り目である折りくせが垂直状の折り線として付与される。
【００９０】
さらに、この後、各折りくせ付与手段77の押し込み駒78を後退させ、すなわち、各第１の押圧体71の押し込み駒78は第１の押圧体71の側面部71bから突出していない状態とする。
【００９１】
次いで、第２集積工程として、図２４及び図２５に示すように、第２の押圧体72を中心側の所定点Ｏに向かって前進させ、放射延設部52aを第１集積部51同士の間に押し込むように押圧する。すると、放射延設部52aは既に水平面に略沿った折り線で折られており、基布は垂直状に立った状態となっているとともに、折りくせが付与されているため、この折りくせの垂直状の折り線により蛇腹状すなわち波状に折り畳まれた第２集積部52が形成される。さらに、これら放射延設部52aを中心側の所定点Ｏに向かって押し込むことにより、間接的に第１集積部51も押圧され、第１集積部51は、中心側の所定点Ｏから外周側に膨出するように押し出され、第２集積部52同士の間に配置される。
【００９２】
すなわち、この状態で、第１集積部51は、外周側の先端部を除き、１方向に沿った折り線でのみ波状に折り畳まれているのに対し、第２集積部52は、互いに交差し直交する２方向に沿った折り線で波状に折り畳まれる。
【００９３】
また、これら第１集積部51及び第２集積部52の折り畳み工程で、エアバッグ12の折り畳み高さは、高さ規制部により規制される。
【００９４】
さらに、必要に応じて、各第１の押圧体44の押圧板74及び第２の押圧体72を前進させ、エアバッグ12の折り畳み形状を整える押圧工程を行い、さらに、折り畳んだエアバッグ12をラッピング部材で覆い、あるいは、エアバッグ12にカバー体14を被せることにより、エアバッグ12の折り畳み工程が終了する。
【００９５】
次に、この実施の形態の第２の動作を図２６ないし図３０を参照して説明する。
【００９６】
この第２の動作に用いる折り畳み装置は、第１の動作に用いる折り畳み装置と同様であるが、第１の押圧体44の押圧板74の周方向に沿った長さ寸法が若干大きく形成されている。
【００９７】
まず、第１の動作と同様に、図２６ないし図２８に示すように、第１集積工程、この第１集積工程に続く拡大工程及び折りくせ付与工程を行う。
【００９８】
そして、第２集積工程として、図２９及び図３０に示すように、第２の押圧体72を中心側の所定点Ｏに向かって前進させ、放射延設部52aを第１集積部51同士の間に押し込むように押圧する。同時に、この第２の押圧体72の前進と同期させて、各第１の押圧体71の押圧板74を外周側に向かって後退させる。すると、放射延設部52aが蛇腹状すなわち波状に折り畳まれた第２集積部52が形成され、さらに、これら放射延設部52aを中心側の所定点Ｏに向かって押し込むことにより、間接的に第１集積部51も押圧され、第１集積部51は、後退する押圧板74に当接して折り畳み形状が乱れることなく保持されつつ、中心側の所定点Ｏから外周側に大きく膨出するように押し出され、第２集積部52同士の間に配置される。
【００９９】
このように、これら図２１ないし図３０に示す実施の形態によれば、第１集積工程の後、第２集積工程の前に、第１の押圧体71を後退させて側面部71b同士の間隔を拡大し、いわば第２集積部52の折りスペースを拡大させる工程を設けたたため、波状に折曲する第２集積部52の折り線同士の間隔を大きく設定でき、いわば、蛇腹の幅寸法を大きく設定することができる。そこで、エアバッグ12にガスを導入した際に、細かく折り返した蛇腹状とする構成に比べ、ガスの導入を円滑にして、エアバッグ12の展開特性を容易に向上できる。さらに、折り畳んだエアバッグ12が復帰変形する反力が一部に集中せず、エアバッグ12を小さく折り畳んだ状態を保持することを容易にでき、あるいは、所望の形状に折り畳んだエアバッグ12を必要に応じてさらに小さく圧縮することが容易になり、エアバッグ12をエアバッグ装置１のカバー体14へ収納する収納作業などのパッキング作業を容易にできる。さらに、第１の押圧体71を後退させて側面部71b同士の間隔を拡大する際、押圧板74を前進させて位置を保持するため、第１集積部51の折り畳み形状を乱れることなく保持することができる。
【０１００】
さらに、図２６ないし図３０示す構成では、第２集積部52を形成する際に、押圧板74を同期して後退させ、いわば第２集積工程と並行して第１集積部51の膨出スペースを拡大させる膨出スペース拡大工程を設けたことにより、第１集積部51の折り畳み形状を乱すことなく保持しつつ外周側に大きく膨出させることができる。
【０１０１】
次に、エアバッグ装置１の他の実施の形態及びこのエアバッグ装置１に用いられるエアバッグ12の折り畳み方法を図３１及び図３２を参照して説明する。
【０１０２】
このエアバッグ装置１のカバー体14は、図３１に示すように、例えば、合成樹脂の射出成形などにより無底箱状に一体に形成され、ステアリングホイール２のボス部５及びスポーク部６の一部を覆う被覆部14aと、取付壁部14bとを備える点では図２と同様であるが、少なくとも一部、本実施の形態では、カバー体14の前側の部分において、取付壁部14bの上端部から水平な連接板部14cが延設され、この連接板部14cの外側の縁部に被覆部14aの下端部に連続している点が異なっている。すなわち、この構成では、被覆部14aに囲まれた部分であるエアバッグ収納部14dの断面の面積よりも、取付壁部14bに囲まれたエアバッグ12の基部側の挿入口14eの面積の方が小さく、いわば径寸法(内寸)が小さくなっている。さらに、この構成では、被覆部14aに平面略Ｈ字状をなして他の部分より脆弱に形成されて前後の扉予定部を区画形成するテアライン14fは、カバー体14の前側部において、連接板部14cを介して連続的に取付壁部14bにまで延設され、エアバッグ12の展開時にカバー体14が前側方に大きく開くことにより、エアバッグ12の展開特性の向上が図られている。なお、図３１において、14gは被覆部14aに取り付けられた装飾用のエンブレムである。
【０１０３】
次に、この図３１に示すカバー体14にエアバッグ12を挿入して収納する作業工程を図３２を参照して説明する。
【０１０４】
この作業工程は、エアバッグ12の折り畳み工程の一部として行われ、図３２(a)は、例えば図３０に示す折り畳み工程が終了した状態である。ここで、折り畳んだエアバッグ12の直上に、カバー体14が配置され、このカバー体14は、複数の保持具91に係合して保持されている。また、エアバッグ12は、第１の押圧体71及び第２の押圧体72に外周部が囲まれた状態となっている。
【０１０５】
ここで、図３２(b)に示すように、第３集積工程として、第１の押圧体71及び第２の押圧体72を中心側の所定点Ｏに向かって前進させて押圧し、所望の形状に折り畳まれてはいるが水平面に沿った面積がカバー体14の挿入口14eの面積より大きいエアバッグ12をさらに圧縮し、水平面に沿った面積をカバー体14の挿入口14eの面積より小さくする。
【０１０６】
次いで、図３２(c)に示すように、挿入工程として、エアバッグ12の下側に配置した治具92を上昇させ、挿入口14eを介してエアバッグ収納部14dに押し込む。すると、挿入口14eよりエアバッグ収納部14dの方が面積が大きいため、緩折工程として、エアバッグ12は、折り畳まれた基布の反力により、エアバッグ収納部14dの空間を埋めるようにして、第１集積部51及び第２集積部52が若干外周側に広がり、折りが緩められた状態となって、エアバッグ12の折り畳み工程が完了する。
【０１０７】
そして、この実施の形態では、エアバッグ12は、カバー体14のエアバッグ収納部14dに収納された状態で、挿入口14eを通過させるために圧縮した折り畳みの作業中よりも、第１集積部51及び第２集積部52が緩められたいわば緩折状態となるため、これら第１集積部51及び第２集積部52へのガスの導入を円滑にして、エアバッグ12の展開特性を容易に向上できる。
【０１０８】
また、第１集積工程及び第２集積工程により所望の形状に折り畳まれたエアバッグ12を、挿入口14eを通過させるために圧縮するためには大きな力が必要になる場合があるが、図２１ないし図３０に示す実施の形態により折り畳まれたエアバッグ12は、波状に折曲する第２集積部52の折り線同士の間隔を大きく設定でき、エアバッグ12を小さく圧縮することが容易であるため、エアバッグ12を挿入口14eを介してエアバッグ収納部14dに押し込む作業を容易にできる。
【０１０９】
なお、上記の実施の形態では、第３集積工程のエアバッグ12の圧縮に、第１の押圧体71及び第２の押圧体72を用いたが、この構成に限られず、専用の押圧部材を用いることもできる。
【産業上の利用可能性】
【０１１０】
本発明は、自動車のステアリングホイールなどに備えられるエアバッグ装置に利用される。
【図面の簡単な説明】
【０１１１】
【図１】本発明のエアバッグの一実施の形態を示す斜視図である。
【図２】同上エアバッグを備えたエアバッグ装置の分解斜視図である。
【図３】同上エアバッグの折畳工程の説明図であり、(a)は平面図、(b)は断面図である。
【図４】同上エアバッグの折畳工程の図３に続く工程の説明図である。
【図５】同上エアバッグの折畳工程の図４に続く工程の説明図である。
【図６】同上エアバッグの折畳工程の図５に続く工程の説明図である。
【図７】同上エアバッグの折畳工程の図６に続く工程の説明図である。
【図８】同上エアバッグの図４のＩ−Ｉ位置の断面図である。
【図９】同上エアバッグ装置の第２集積部の展開動作を示す説明図である。
【図１０】同上エアバッグ装置の第１集積部の展開動作を示す説明図である。
【図１１】同上エアバッグ装置の展開初期の状態を示す正面図である。
【図１２】同上エアバッグ装置の近接展開時の状態を示す説明図である
【図１３】同上エアバッグ装置の展開時の状態を示す側面図である。
【図１４】本発明のエアバッグの他の実施の形態を示す説明図である。
【図１５】本発明のエアバッグのさらに他の実施の形態を示す折り畳んだ状態の説明図である。
【図１６】本発明のエアバッグのさらに他の実施の形態を示す折り畳んだ状態の説明図である。
【図１７】本発明のエアバッグのさらに他の実施の形態を示す折畳工程の説明図である。
【図１８】本発明のエアバッグのさらに他の実施の形態を示す図４のＩ−Ｉ相当位置の説明図である。
【図１９】本発明のエアバッグのさらに他の実施の形態を示す折畳工程の説明図である。
【図２０】本発明のエアバッグを備えたエアバッグ装置のさらに他の実施の形態の展開時の状態を示す側面図である。
【図２１】本発明のエアバッグの折畳方法の他の実施の形態の第１の動作を示す折畳工程の説明図である。
【図２２】同上エアバッグの折畳工程の図２１に続く工程の説明図である。
【図２３】同上エアバッグの折畳工程の図２２に続く工程の説明図である。
【図２４】同上エアバッグの折畳工程の図２３に続く工程の説明図である。
【図２５】同上エアバッグの折畳工程の図２４に続く工程の説明図である。
【図２６】同上エアバッグの折畳工程の第２の動作を示す折畳工程の説明図である。
【図２７】同上エアバッグの折畳工程の図２６に続く工程の説明図である。
【図２８】同上エアバッグの折畳工程の図２７に続く工程の説明図である。
【図２９】同上エアバッグの折畳工程の図２８に続く工程の説明図である。
【図３０】同上エアバッグの折畳工程の図２９に続く工程の説明図である。
【図３１】本発明のエアバッグ装置のさらに他の実施の形態を示す一部を切り欠いた斜視図である。
【図３２】本発明のエアバッグ装置のエアバッグの折畳工程を示す説明図である。
【符号の説明】
【０１１２】
12    エアバッグ
14    カバー体
14d   エアバッグ収納部
14e   挿入口
51    第１集積部
52    第２集積部
52a   放射延設部
61    展開部
71    第１の押圧体
71b   側面部
72    第２の押圧体
74    第１の前面部を構成する押圧板
82    第２の前面部としての押圧面部
Ｏ    所定点
【図１】
2007261565.tif 000003
【図２】
2007261565.tif 000004
【図３】
2007261565.tif 000005
【図４】
2007261565.tif 000006
【図５】
2007261565.tif 000007
【図６】
2007261565.tif 000008
【図７】
2007261565.tif 000009
【図８】
2007261565.tif 000010
【図９】
2007261565.tif 000011
【図１０】
2007261565.tif 000012
【図１１】
2007261565.tif 000013
【図１２】
2007261565.tif 000014
【図１３】
2007261565.tif 000015
【図１４】
2007261565.tif 000016
【図１５】
2007261565.tif 000017
【図１６】
2007261565.tif 000018
【図１７】
2007261565.tif 000019
【図１８】
2007261565.tif 000020
【図１９】
2007261565.tif 000021
【図２０】
2007261565.tif 000022
【図２１】
2007261565.tif 000023
【図２２】
2007261565.tif 000024
【図２３】
2007261565.tif 000025
【図２４】
2007261565.tif 000026
【図２５】
2007261565.tif 000027
【図２６】
2007261565.tif 000028
【図２７】
2007261565.tif 000029
【図２８】
2007261565.tif 000030
【図２９】
2007261565.tif 000031
【図３０】
2007261565.tif 000032
【図３１】
2007261565.tif 000033
【図３２】
2007261565.tif 000034